【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
データ送信を保留しているアクセスターミナルを呼び出す；
パラメータの組に基づいてアクセスポイントを選択する；
選択されたアクセスポイントからの順方向リンク信号の過剰なＣ／Ｉを観測する；
上記選択されたアクセスポイントに過剰なＣ／Ｉ観測を送る；及び
上記過剰なＣ／Ｉ観測にしたがった送信出力で上記選択されたアクセスポイントからデータを送信する、
を具備する、一のアクセスターミナルに少なくとも一のアクセスポイントからのパケットデータ送信の方法。
【請求項２】
上記送信するステップは、上記アクセスターミナルの優先順位に基づいてスケジューラにより計画される、請求項１の方法。
【請求項３】
上記観測すること、選択すること、及び送ることのステップは、上記データ送信が完了するまで各時間スロットにおいて実行される、請求項１の方法。
【請求項４】
上記送信することのステップは、指向性ビームを使用して実行される、請求項１の方法。
【請求項５】
上記データは、データパケットで上記アクセスターミナルに送信される、請求項１の方法。
【請求項６】
上記アクセスターミナルにより受信されていないデータパケットに関する負の認識（ＮＡＣＫ）メッセージを送信する、
をさらに具備する請求項５の方法。
【請求項７】
上記ＮＡＣＫメッセージにしたがって上記アクセスターミナルにより受信されなかった上記データパケットを再送信する、
をさらに具備する請求項５の方法。
【請求項８】
上記データパケットは、全てのデータレートに対して固定されたサイズである、請求項５の方法。
【請求項９】
上記データパケットは、１若しくはそれ以上の時間スロットにわたって送信される、請求項５の方法。
【請求項１０】
各データパケットは、プリアンブルを具備する、請求項５の方法。
【請求項１１】
上記プリアンブルの長さは、上記データレートに基づく、請求項１０の方法。
【請求項１２】
過剰なＣ／Ｉ観測は、データ要求メッセージで送られる、請求項１の方法。
【請求項１３】
データ送信を保留しているアクセスターミナルを呼び出す；
パラメータの組に基づいてアクセスポイントを選択する；
選択されたアクセスポイントからの順方向リンク信号の過剰なＣ／Ｉを観測する；
上記選択されたアクセスポイントに過剰なＣ／Ｉ観測を含むデータ要求メッセージを送る；及び
上記データ要求メッセージにしたがったデータレートで及び上記過剰なＣ／Ｉ観測にしたがった送信出力で上記選択されたアクセスポイントからデータを送信する、
を具備する、一のアクセスターミナルに少なくとも一のアクセスポイントからのパケットデータ送信の方法。
【請求項１４】
順方向リンク信号における呼び出しメッセージを受信する、及び順方向リンク信号におけるＣ／Ｉ観測及び過剰なＣ／Ｉ観測を実行するための受信機；
受信機からの上記呼び出しメッセージ、Ｃ／Ｉ観測、及び過剰なＣ／Ｉ観測を受信するための上記受信機と結合されたコントローラ、上記コントローラはアクセスポイントを選択する；及び
Ｃ／Ｉ観測及び過剰なＣ／Ｉ観測を含むデータ要求メッセージを送信するための上記コントローラに結合された送信機、
を具備するアクセスターミナル。
【請求項１５】
Ｃ／Ｉ観測及び過剰なＣ／Ｉ観測を受信するための受信機；
受信機からの上記Ｃ／Ｉ観測及び過剰なＣ／Ｉ観測を受信するための上記受信機に結合されたチャネルスケジューラ、上記チャネルスケジューラはデータ送信のためのアクセスターミナルを選択する；及び
Ｃ／Ｉ観測及び過剰なＣ／Ｉ観測に基づいた送信出力で送信するための上記チャネルスケジューラに結合されたトランスミッタ、
を具備するアクセスポイント。
【請求項１６】
複数のアクセスターミナルからデータ要求メッセージを受信する；
複数のアクセスターミナルそれぞれに関する平均運用レートを計算する；
複数のアクセスターミナルそれぞれに関する平均運用レートに対する要求されたデータレートの比率を計算する；
平均運用レートに対する要求されたデータレートの最大比率を有するアクセスターミナルからデータの送信をスケジューリングする；及び
上記データ要求メッセージにしたがってランダムに変化する送信出力で上記選択されたアクセスポイントからデータを送信する、
を具備する、一のアクセスターミナルに少なくとも一のアクセスポイントからのパケットデータ送信の方法。
【請求項１７】
比率は、ＤＲＣＩ（ｎ）／ＲＩ（ｎ）として計算される、ここで、ＲＩ（ｎ）＝（１−１／ｔｃ）＊ＲＩ（ｎ−１）＋（１／ｔｃ）；ＤＲＣＩ（ｎ）は、スロットｎにおけるターミナルＩの要求されたデータレートである；ＲＩ（ｎ）は、スロットｎ−１からＩにおける平均運用レートである；及びｔｃは、スケジューラの時定数である、請求項１６の方法。
【請求項１８】
複数のアクセスターミナルからデータ要求メッセージを受信する；
複数のアクセスターミナルそれぞれに関する平均運用レートを計算する；
複数のアクセスターミナルそれぞれに関する平均運用レートに対する要求されたデータレートの比率を計算する；
平均運用レートに対する要求されたデータレートの比率に基づいてアクセスターミナルからのデータ送信の計画をバイアスする；及び
上記データ要求メッセージにしたがって通信システムにおいて近隣のアクセスポイントと同期した送信出力で上記選択されたアクセスポイントからデータを送信する、
を具備する、通信システムにおける一のアクセスターミナルに少なくとも一のアクセスポイントからのデータパケット送信の方法。
【請求項１９】
複数のアクセスターミナルからデータ要求メッセージを受信する；
複数のアクセスターミナルそれぞれに関する平均運用レートを計算する；
複数のアクセスターミナルそれぞれに関する平均運用レートに対する要求されたデータレートの比率を計算する；
平均運用レートに対する要求されたデータレートの最大比率を有するアクセスターミナルからデータの送信のスケジューリングする；及び
上記データ要求メッセージにしたがって通信システムにおいて近隣のアクセスポイントと同期した送信出力で上記選択されたアクセスポイントからデータを送信する、
を具備する、通信システムにおける一のアクセスターミナルに少なくとも一のアクセスポイントからのパケットデータ送信の方法。
【請求項２０】
送信出力は、アクセスポイントのボアサイトアジマス角に依存した最大値である、請求項１９の方法。
【請求項２１】
送信出力が、
Ｐ(ｔ)＝Ｐ０(ｄＢｍ)＋∂(ｄＢ)＊Ｃｏｓ(２＊π＊ｔ／Ｔ−θ)   ここで、
Ｐ０はアクセスポイントの形式的な送信出力；
θはアジマス角；
Ｔは３６０°スキャンする時間；及び
∂＝はｄＢで表されたピークである、
請求項２０の方法。
【請求項２２】
複数のアクセスターミナルからデータ要求メッセージを受信するための手段；
複数のアクセスターミナルそれぞれに関する平均運用レートを計算するための手段；
複数のアクセスターミナルそれぞれに関する平均運用レートに対する要求されたデータレートの比率を計算するための手段；
平均運用レートに対する要求されたデータレートの最大比率を有するアクセスターミナルからデータの送信をスケジューリングするための手段；及び
上記データ要求メッセージにしたがってランダムに変化する送信出力で上記選択されたアクセスポイントからデータを送信するための手段、
を具備するアクセスポイント。
【手続補正２】
【補正対象書類名】明細書
【補正対象項目名】０００５
【補正方法】変更
【補正の内容】
【０００５】
アクセスターミナルは、受信した順方向リンク信号に関する信号対ノイズ及び干渉の比率Ｃ／Ｉを計算する。アクセスターミナルが計算したＣ／Ｉは、アクセスポイントからユーザのアクセスターミナルへの順方向リンクに対してサポートされる情報レートを決定する。即ち、順方向リンクに関する所定レベルの成果は、対応するレベルのＣ／Ｉにおいて達成される。情報レートを選択する方法及び装置は１９９７年１１月３日に提出された米国特許出願 No. 08/963,386、題名“高レートパケット送信に関する方法及び装置”、 現在、米国特許 No. 6,574,211、２００２年６月３日発行、に開示されている。それは、本発明の譲受人に譲渡されており、ここに引用されている。
【手続補正３】
【補正対象書類名】明細書
【補正対象項目名】００１６
【補正方法】変更
【補正の内容】
【００１６】
アクセスターミナルは、通信の間に少なくとも一つのアクセスポイントと通信する。ＣＤＭＡアクセスターミナルは、ソフトハンドオフ(soft handoff)の間に複数のアクセスポイントと同時に通信することができる。ソフトハンドオフは、これまでのアクセスポイントとのリンクを切る前に、新たなアクセスポイントとリンクを確立するプロセスである。ソフトハンドオフは、通話が欠落する確立を最小化する。ソフトハンドオフの間に１若しくはそれ以上のアクセスポイントを通してアクセスターミナルとの通信を与える方法及びシステムは、米国特許 No. 5,267,261、題名“ＣＤＭＡセルラ電話システムにおける移動体サポートソフトハンドオフ”に開示されている。これは、本発明の譲受人に譲渡されており、ここに引用されている。ソフタハンドオフ(softer handoff)は、それにより複数のセクタにわたって通信ができるプロセスであり、同一のアクセスポイントにより運用される。ソフタハンドオフのプロセスは、１９９６年１２月１１日に提出された出願中の米国特許出願 No. 08/763,498、題名“共通基地局のセクタ間のハンドオフの実行に関する方法及び装置”、現在、米国特許 No. 5,933,787、１９９３年８月３日発行、に詳細に述べられている。これは、本発明の譲受人に譲渡されており、ここに引用されている。
【手続補正４】
【補正対象書類名】明細書
【補正対象項目名】００２３
【補正方法】変更
【補正の内容】
【００２３】
１若しくはそれ以上のアクセスポイントから呼び出しメッセージを受信すると、アクセスターミナルは、各時間スロットにおける順方向リンク信号（例えば、順方向パイロット信号）の信号対ノイズ及び干渉の比率（Ｃ／Ｉ）を観測し、現在及び以前のＣ／Ｉ観測を具備できるパラメータの組を使用する、最善のアクセスポイントを選択する。パラメータの組を使用して最善のアクセスポイントを選択する方法及び装置は、前記に引用した、１９９７年１１月３日に提出された米国特許出願No. 08/963,386、題名“高レートパケット送信に関する方法及び装置” 現在、米国特許 No. 6,574,211、２００２年６月３日発行、に開示されている。
【手続補正５】
【補正対象書類名】明細書
【補正対象項目名】００３３
【補正方法】変更
【補正の内容】
【００３３】
図面を参照すると、図１は、複数セル２ａ−２ｇを具備する一実施例の通信システムを表す。各セル２ａ−２ｇは、対応するアクセスポイント４により運用される。種々のアクセスターミナル６が、通信システム全体に分散されている。各アクセスターミナル６は、各時間スロットにおいて順方向リンクでは多くとも１のアクセスポイント４と通信する。しかし、逆方向リンクではアクセスターミナル６がソフトハンドオフであるか否かによって、１若しくはそれ以上のアクセスポイント４と通信できる。例えは、時間スロットｎにおいて順方向リンク上で、アクセスポイント４ａは、アクセスターミナル６ａに独占的にデータを送信し、アクセスポイント４ｂは、アクセスターミナル６ｂに独占的にデータを送信し、及びアクセスポイント４ｃは、アクセスターミナル６ｃに独占的にデータを送信する。図１では、矢印のある実線は、アクセスポイント４からアクセスターミナル６へのデータ送信を示す。矢印のある破線は、アクセスターミナル６が、アクセスポイント４からデータ通信を伴わないパイロット信号を受信していることを示す。逆方向リンク通信は、単純化のために図１では示されていない。
【手続補正６】
【補正対象書類名】明細書
【補正対象項目名】００３４
【補正方法】変更
【補正の内容】
【００３４】
図１により示されるように、各アクセスポイント４は、いかなる所定の時間においても１つのアクセスターミナル６にデータを送信する。特にセル境界の近くに位置するアクセスターミナル６は、複数のアクセスポイント４からパイロット信号を受信できる。パイロット信号が所定のしきい値を超えるならば、アクセスポイント４がアクセスポイント４のアクティブセットに加えられることを、アクセスターミナル６は要求できる。アクセスターミナル６は、アクティブセットの０，１，又は２若しくはそれ以上の構成員からデータ送信を受信できる。
【手続補正７】
【補正対象書類名】明細書
【補正対象項目名】００５１
【補正方法】変更
【補正の内容】
【００５１】
ある実施例では、データ送信システムの順方向リンクの能力は、アクセスターミナルのデータ要求により決定される。順方向リンク能力における付加的な利得は、指向性アンテナ(directional antenna)及び／若しくは適合できる空間フィルタ(spatial filter)を使用することにより達成される。指向性送信を与える例示的な方法及び装置は、同時出願中の、１９９５年１２月２０日に提出し、１９９９年１月５日に発行された米国特許 No. 5,857,147、題名“複数ユーザ通信システムにおける送信データレートを決定する方法及び装置”、及び１９９７年９月８日に提出した米国特許出願番号 No. 08/925,521、題名“直交するスポットビーム、セクタ、及びピコセルを与える方法及び装置”、現在米国特許 No. 6,285,655、２００１年９月４日発行、に開示されている。両者とも本発明の譲受人に譲渡され、ここに引用されている。
【手続補正８】
【補正対象書類名】明細書
【補正対象項目名】００５２
【補正方法】変更
【補正の内容】
【００５２】
ある実施例では、データ送信は、通信リンクの品質の一部に基づいて計画される。リンク品質に基づいて送信レートを選択する例示的な通信システムは、１９９６年１０月２９日に提出した米国特許出願 No. 08/741,320、題名“セルラ環境において高速データ通信を与える方法及び装置”、現在、米国特許 No. 6,496,543、２００２年１２月７日発行、に開示されている。これは、本発明の譲受人に譲渡され、ここに引用文献として含まれている。データ通信のスケジューリングは、ユーザのＧＯＳ、キューサイズ、データのタイプ、既に分かっている遅延の大きさ、及びデータ通信のエラーレートのような付加的に考慮に基づくことができる。これらの考慮は、１９９７年２月１１日に提出した米国特許出願 No. 08/798,951、題名“順方向リンクレートスケジューリングの方法及び装置”、現在、米国特許 No. 6,335,922、２００１年１月１日発行、及び１９９７年８月２０日に提出し、１９９９年７月１３日に発行された米国特許 No. 5,923,650、題名“逆方向リンクレートスケジューリングの方法及び装置”に詳しく述べられている。両者とも本発明の譲受人に譲渡され、ここに引用されている。
【手続補正９】
【補正対象書類名】明細書
【補正対象項目名】００５８
【補正方法】変更
【補正の内容】
【００５８】
【表１】
2004533133.tif 000001
【手続補正１０】
【補正対象書類名】明細書
【補正対象項目名】００６７
【補正方法】変更
【補正の内容】
【００６７】
ある実施例では、全てのアクセスポイントは、時間に同期させる形で送信出力を変化する。他の実施例では、全てのアクセスポイントは、ランダムパターンで送信出力を変化する。ある実施例では、ランダムパターンは、サインパターン若しくは三角パターンのような周期的パターンである。他の実施例では、ランダムパターンは、非周期的なパターンである。ランダムパターンは、どんな種類のパターンであっても良いことが、本技術分野に通常の知識のある者により理解されるであろう。
【手続補正１１】
【補正対象書類名】明細書
【補正対象項目名】０１００
【補正方法】変更
【補正の内容】
【０１００】
一実施例の順方向リンクスロット構造の例示的な線図が、図５（Ａ）に示されている。ある実施例では、各スロットは、４つの時間多重化されたチャネル、情報チャネル、制御チャネル、パイロットチャネル、及び出力制御チャネルの内の３つを具備する。ある実施例では、パイロット及び出力制御チャネルは、２つのパイロット及び出力制御バースト(burst)に送信される。パイロット及び出力制御バーストは、各時間スロットにおいて同じ場所に位置している。パイロット及び出力制御バーストの説明は、１９９７年１１月３日に提出された米国特許出願 No. 08/963,386、題名“高レートパケット送信に関する方法及び装置”、現在、米国特許 No. 6,574,211、２００２年６月３日発行、に開示されており、以前に引用されている。
【手続補正１２】
【補正対象書類名】明細書
【補正対象項目名】０１０３
【補正方法】変更
【補正の内容】
【０１０３】
パイロット信号を図示する線図が、図５（Ａ）に示されている。ある実施例では、各時間スロットは、２つのパイロットバースト３０６ａ及び３０６ｂを具備する。パイロットバースト３０６ａ及び３０６ｂは、時間スロットの１／４及び３／４の終わりに生ずる。ある実施例では、各パイロットバースト３０６ａ及び３０６ｂは、６４チップの期間（Ｔｐ＝６４チップ）である。情報データ若しくは制御チャネルデータがない場合。アクセスポイント４は、パイロット及び出力制御バーストを送信するだけである。その結果、１２００Ｈｚの周期的なレートで不連続な波形バースティングになる。
【手続補正１３】
【補正対象書類名】明細書
【補正対象項目名】０１０９
【補正方法】変更
【補正の内容】
【０１０９】
ある実施例では、０から１５までのＲＰＣインデックスは、ウォルシュカバーＷ０からＷ１５にそれぞれ割り当てられ、スロット内の第１のパイロットバースト（図５（Ｂ）のＲＰＣバースト３０４ａ及び３０４ｂ）の周りに送信される。１６から３１までのＲＰＣインデックスは、ウォルシュカバーＷ０からＷ１５にそれぞれ割り当てられ、スロット内の第２のパイロットバースト（図５（Ｂ）のＲＰＣバースト３０８ａ及び３０８ｂ）の周りに送信される。ある実施例では、ＲＰＣビットは、同位相信号上で変調された偶数のウォルシュカバー（例えば、Ｗ０，Ｗ２，Ｗ４等）及び直交信号上で変調された奇数のウォルシュカバー（例えば、Ｗ１，Ｗ３，Ｗ５等）で変調されたＢＰＳＫである。ピークと平均間のエンベロープ(envelope)を減少させるために、同位相及び直交出力をバランスさせることが好ましい。さらに、デモジュレータの位相推定エラーに起因するクロストークを最小にするために、同位相及び直交信号に直交カバーを割り当てることが好ましい。
【手続補正１４】
【補正対象書類名】明細書
【補正対象項目名】０１１０
【補正方法】変更
【補正の内容】
【０１１０】
ある実施例では、最大３１までのＲＰＣビットは、各時間スロットの中で３１ＲＰＣウォルシュチャネルにおいて送信できる。ある実施例では、１５ＲＰＣビットが、スロットの前半で送信され、１６ＲＰＣビットが、スロットの後半で送信される。ＲＰＣビットは、総合計器２１２ａ及び２１２ｂ（図４参照）により統合され、出力制御チャネルの合成波形は、図５（Ｂ）に示されるようになる。
【手続補正１５】
【補正対象書類名】明細書
【補正対象項目名】０１１１
【補正方法】変更
【補正の内容】
【０１１１】
出力制御チャネルのタイミング線図は、図５（Ａ）に図示されている。ある実施例では、ＲＰＣビットレートは、６００ｂｐｓ、若しくは時間スロットあたり１ＲＰＣビットである。各ＲＰＣビットレートは、時間多重化され、図５（Ａ）及び（Ｂ）に示されるように、２つのＲＰＣバースト（例えば、ＲＰＣバースト３０４ａ及び３０４ｂ）にわたって送信される。ある実施例では、各ＲＰＣバーストは、幅（Ｔｃ＝３２チップ）が３２ＰＮチップ（即ち２ウォルシュ記号）であり、各ＲＰＣビットの全幅は、６４ＰＮチップ（即ち４ウォルシュ記号）である。他のＲＰＣビットレートは、繰り返しの記号の数を変えることにより得られるであろう。例えば、１２００ｂｐｓのＲＰＣビットレートは、（６３までのアクセスターミナル６を同時にサポートするために、若しくは、出力制御レートを増加させるために）ＲＰＣバースト３０４ａ及び３０４ｂにおいて３１ＲＰＣビットの第１の組を、及びＲＰＣバースト３０８ａ及び３０８ｂにおいて３２ＲＰＣビットの第２の組を送信することにより得られるであろう。この場合、全てのウォルシュカバーは、同位相および直交信号で使用される。
【手続補正１６】
【補正対象書類名】明細書
【補正対象項目名】０１２５
【補正方法】変更
【補正の内容】
【０１２５】
ＸＩ．逆方向リンクデータチャネル
一実施例の１つの逆方向リンク構造のブロック図が、図６に示されている。データは、データパケットに区分され、エンコーダ６１２に与えられる。各データパケットに対して、エンコーダ６１２は、ＣＲＣパリティビットを生成し、コードテールビットを挿入し、そしてデータをエンコードする。ある実施例では、前述の米国特許出願 No. 08/743,688、現在、発行された米国特許 No. 5,933,462、に開示されたエンコーディングフォーマットにしたがって、エンコーダ６１２は、パケットをエンコードする。他のエンコーディングフォーマットも使用でき、本発明の範囲内である。エンコーダ６１２からエンコードされたパケットは、パケット中のコード記号を記録するブロックインテーリーバ６１４に与えられる。インターリーブされたパケットは、乗算器６１６に与えられる。乗算器６１６は、データをウォルシュカバーでカバーし、利得エレメント６１８にカバーされたデータを与える。利得エレメント６１８は、データレートに拘わらず一定のビット当たりのエネルギーＥｂに維持するためにデータを計測する。利得エレメント６１８から計測されたデータは、乗算器６５０ｂ及び６５０ｄに与えられる。乗算器６５０は、ＰＮ＿Ｑ及びＰＮ＿Ｉ系列でそれぞれデータを拡散する。乗算器６５０ｂ及び６５０ｄから拡散されたデータは、データをフィルタするフィルタ６５２ｂ及び６５２ｄにそれぞれ与えられる。フィルタ６５２ａ及び６５２ｂからフィルタされた信号は、総合計器６５４ａに与えられる。そして、フィルタ６５２ｃ及び６５２ｄからフィルタされた信号は、総合計器６５４ｂに与えられる。総合計器６５４ａ及び６５４ｂは、データチャネルからの信号とパイロット／ＤＲＣチャネルからの信号を合計する。総合計器６５４ａ及び６５４ｂの出力は、それぞれＩ出力及びＱ出力を具備する。Ｉ出力及びＱ出力は、それぞれ（順方向リンクにおけるように）同位相サイン関数ＣＯＳ（ｗｃｔ）及び直交サイン関数ＳＩＮ（ｗｃｔ）で変調され、そして合計される（図６には示されていない）。ある実施例では、情報データは、サイン関数の同位相及び直交の両者に送信される。
【手続補正１７】
【補正対象書類名】明細書
【補正対象項目名】０１２６
【補正方法】変更
【補正の内容】
【０１２６】
ある実施例では、データは、ロングＰＮコード及びショートＰＮコードで拡散される。受信しているアクセスポイント４が、送信しているアクセスポイント６を認識できるように、ロングＰＮコードは、データをスクランブルする。ショートＰＮコードは、システムバンド幅にわたって信号を拡散する。ロングＰＮ系列は、ロングコード生成器６４２により生成され、乗算器６４６ａ及び６４６ｂに与えられる。ショートＰＮＩ及びＰＮＱ系列は、ショートコード生成器６４４により生成され、それぞれ乗算器６４６ａ及び６４６ｂに与えられる。乗算器６４６ａ及び６４６ｂは、それぞれ、ＰＮ＿ＩからＰＮ＿Ｑまでの２組の系列を掛け算する。タイミング／制御回路６４０は、タイミングリファレンスを与える。
【手続補正１８】
【補正対象書類名】明細書
【補正対象項目名】０１２７
【補正方法】変更
【補正の内容】
【０１２７】
図６に示されるようなデータチャネル構造の一ブロック線図は、逆方向リンクにおけるデータのエンコーディング及び変調をサポートする数多くの構造の一つである。高レートデータ通信にとって、多数の直交チャネルを利用する順方向リンクのそれと同様な構造も、使用できる。ＩＳ−９５規格に適合するＣＤＭＡシステムにおける逆方向リンク情報チャネルに対する構造のような、他の構造も考えられ、これらは、本発明の範囲内である。高速データ通信に対する例示的なスケジューリング機構は、前述の米国特許出願 No. 08/798,951、現在、発行された米国特許 No. 6,335,922、に詳しく述べられている。
【手続補正１９】
【補正対象書類名】明細書
【補正対象項目名】０１３６
【補正方法】変更
【補正の内容】
【０１３６】
ある実施例では、Ｃ／Ｉ観測及び過剰なＣ／Ｉ観測は、ＣＤＭＡシステムにおいて使用されるものと同様な方法で、順方向リンクパイロット信号において実行することができる。Ｃ／Ｉ観測を実行する方法及び装置は、１９９９年５月１１日に発行された米国特許 No. 5,903,554、題名“拡散スペクトル通信システムにおけるリンク品質を測定する方法及び装置”に開示されている。これは、本発明の譲受人に譲渡されており、引用されている。まとめると、パイロット信号におけるＣ／Ｉ観測は、ショートＰＮコードにより受信した信号を逆拡散することにより得られる。Ｃ／Ｉ観測の時間と実際のデータ送信の時間との間でチャネル状態が変化する場合、パイロット信号におけるＣ／Ｉ観測は、不確実性を含むであろう。ある実施例では、ＦＣＡビットを使用することは、要求されたデータレートを決定する時に、アクセスターミナル６が順方向リンクの活性度を考慮することを認める。
【手続補正２０】
【補正対象書類名】明細書
【補正対象項目名】０１４２
【補正方法】変更
【補正の内容】
【０１４２】
【図１】図１は、複数のセル、複数のアクセスポイント及び複数のアクセスターミナルを具備する一実施例におけるデータ通信システムの線図である。
【図２】図２は、一実施例のデータ通信システムのサブシステムのブロック線図である。
【図３】図３は、一実施例の一つの順方向リンク構成のブロック線図である。
【図４】図４は、一実施例の一つの順方向リンク構成のブロック線図である。
【図５】図５（Ａ）は、一実施例の順方向リンクスロット構造である。図５（Ｂ）は、出力制御チャネルの合成波形である。
【図６】図６は、一実施例の一つの逆方向リンク構成のブロック線図である。
【図７】図７は、典型的な六角形セルレイアウトにおけるＣ／Ｉ分布の累積分布関数（ＣＤＦ）の線図である。
【手続補正２１】
【補正対象書類名】図面
【補正対象項目名】図３
【補正方法】変更
【補正の内容】
【図３】
2004533133.tif 000002
【手続補正２２】
【補正対象書類名】図面
【補正対象項目名】図５
【補正方法】変更
【補正の内容】
【図５】
2004533133.tif 000003
【手続補正２３】
【補正対象書類名】図面
【補正対象項目名】図６
【補正方法】変更
【補正の内容】
【図６】
2004533133.tif 000004